(57)【要約】      （修正有）【課題】  電子マネーの残高額の確認や、電子マネーの充填処理に伴う煩わしさを減少させ、利用者における利便性の向上を図る電子マネーの自動充填方法を提供する。【解決手段】  ＩＣカードリーダライタでＩＣカードに記憶されている残高額情報を読み取るステップと、読み取った残高額情報をパソコンに送信し、予め登録されている残高額最低基準値と比較するステップと、比較の結果、残高額が残高額最低基準値よりも下回っていると判定された場合にパソコンから電子マネー管理サーバに対し、ＩＣカードの残高額の増額処理を要求する増額要求信号を送信するステップと、電子マネー管理サーバは、パソコンから増額要求信号を受信した場合に、パソコンに対しＩＣカードに充填するための電子マネー情報を送信するステップと、パソコンは、電子マネー管理サーバから電子マネー情報を受信した際にＩＣカードの電子マネー残高額の増額処理を行なうステップとを有する。【選択図】        図１
2006134195.tif 000002
【特許請求の範囲】
【請求項１】
ＩＣカードと、ＩＣカードリーダライタを備えたパソコンと、前記パソコンと通信回線を介して接続された電子マネー管理サーバとにより、前記ＩＣカードに記憶されている電子マネーの残高額が、予め定めた基準値を下回った場合に、自動的に残高額の増額を行なうための電子マネーの自動充填方法であって、
前記ＩＣカードリーダライタで、前記ＩＣカードに記憶されている残高額情報を読み取るステップと、
前記ＩＣカードリーダライタで読み取ったＩＣカードの残高額情報を前記パソコンに送信して、前記パソコンに予め登録されている残高額最低基準値と比較するステップと、
前記比較の結果、前記残高額が前記残高額最低基準値よりも下回っていると判定された場合に、前記パソコンから前記電子マネー管理サーバに対して、前記ＩＣカードの残高額の増額処理を要求する増額要求信号を送信するステップと、
前記電子マネー管理サーバは、前記パソコンから増額要求信号を受信した場合に、前記パソコンに対して、ＩＣカードに充填するための電子マネー情報を送信するステップと、
前記パソコンは、前記電子マネー管理サーバから前記電子マネー情報を受信した際に、前記ＩＣカードリーダライタにより受信した電子マネー情報に基づいて、前記ＩＣカードに記憶されている電子マネーの残高額の増額処理を行なうステップと、
を有することを特徴とする電子マネーの自動充填方法。
【請求項２】
ＩＣカードと、ＩＣカードリーダライタを備えたパソコンと、前記パソコンと通信回線を介して接続された電子マネー管理サーバとにより、前記ＩＣカードに記憶されている電子マネーの残高額が、予め定めた基準値を下回った場合に、自動的に残高額の増額を行なうための電子マネーの自動充填方法であって、
前記ＩＣカードリーダライタで、前記ＩＣカードに記憶されている残高額情報を読み取るステップと、
前記ＩＣカードリーダライタで読み取ったＩＣカードの残高額情報を、前記パソコンから前記電子マネー管理サーバに送信するステップと、
前記電子マネー管理サーバにおいて、予め登録されている残高額最低基準値と、前記パソコンから受信したＩＣカードの残高額情報とを比較するステップと、
前記比較の結果、前記残高額が前記残高額最低基準値よりも下回っていると判定された場合に、前記電子マネー管理サーバから前記パソコンに対して、ＩＣカードに充填するための電子マネー情報を送信するステップと、
前記パソコンは、前記電子マネー管理サーバから前記電子マネー情報を受信した際に、前記ＩＣカードリーダライタにより受信した電子マネー情報に基づいて、前記ＩＣカードに記憶されている電子マネーの残高額の増額処理を行なうステップと、
を有することを特徴とする電子マネーの自動充填方法。
【請求項３】
前記ＩＣカードリーダライタで、前記ＩＣカードに記憶されている残高額情報を読み取る処理を行う際には、前記パソコンでのＩＣカードによる個人認証処理が行なわれることを必要としていることを特徴とする請求項１または請求項２に記載の電子マネーの自動充填方法。
【請求項４】
前記電子マネーの残高額の増額処理が、増額処理される場所、パソコン、時刻のいずれかに限定され、その限定情報が前記ＩＣカード又は前記電子マネー管理サーバに記憶されていることを特徴とする請求項１または請求項２に記載の電子マネーの自動充填方法。
【請求項５】
前記パソコン及び前記ＩＣカードリーダライタが、駅に備え付けられている充填機に備えられていることを特徴とする請求項１または請求項２に記載の電子マネーの自動充填方法。
【請求項６】
前記ＩＣカードに記憶されている電子マネーの残高額の増額処理を行なう頻度に応じて、電子マネーの充填額を自動的に増額することを特徴とする請求項１または請求項２に記載の電子マネーの自動充填方法。
【発明の詳細な説明】
【技術分野】
【０００１】
本発明は、ＩＣカードに記憶されている電子マネーの残高額が、予め定めた残高額基準値を下回った場合に、自動的にＩＣカードの残高額の増額処理を行なうことができる電子マネーの自動充填方法に関する。
【背景技術】
【０００２】
従来、ＩＣカードに貨幣と同等の金銭的価値を持つ資金情報として電子マネーを用いる方法が知られている。
この電子マネーを用いる方法としては、例えばＩＣカードの記憶手段に電子マネーとして利用できる額を記憶させておき、電子マネーでの支払いを行なう毎に、電子マネーの残高額から支払額に相当する電子マネー分を減額するという仕組みが既に知られている。（例えば、特許文献１、参照）
【特許文献１】特開２０００−２０７５０９号公報
【０００３】
これらのＩＣカードを用いた電子マネーでは、ＩＣカードの記憶手段に記憶された電子マネーの残高額が全て使い終わると、その後、ＩＣカードを使用して電子マネーを使うことができなくなるので、利用者が必要に応じて、電子マネー管理センターなどの電子マネー管理サーバと通信を行い、ＩＣカードの記憶手段へ電子マネー充填処理をして、電子マネーの残高額の補充をする。
利用者は、ＩＣカードへの電子マネー充填処理を行なうことで、ＩＣカードを使用して何度でも繰り返して電子マネーの使用ができるようにしてある。
【０００４】
しかしながら、利用者が、ＩＣカードへの電子マネー充填処理を行うのを忘れてしまうことも考えられる。
そして、利用者が、うっかりＩＣカードの電子マネーの残高額が少なくなっていることを忘れて、ショッピングに出かけてしまうこともある。
このような場合には、ＩＣカードの記憶手段に記憶された電子マネーの残高額が、店舗への支払い代金に足りなかったりして目的の買物ができない。
【０００５】
また、利用者にとって、ＩＣカードの記憶手段に記憶された電子マネーの残高額をチェックしたり、また電子マネーの充填処理を行なうのは面倒であり、特に高齢者にとって、ＩＣカードの電子マネーはＩＣカード１枚で小銭を数えることなく支払い処理ができる利便性があるものの、電子マネーの残高額の確認や充填処理が面倒であるために使用しずらいという問題がある。
【発明の開示】
【発明が解決しようとする課題】
【０００６】
本発明は、ＩＣカードに記憶されている電子マネーの残高額が、予め定めた残高額基準値を下回った場合に、自動的にＩＣカードの残高額の増額処理を行なえるようにして、電子マネーの利用者における残高額の確認や、電子マネーの充填処理に伴う煩わしさを減少させて、ＩＣカードを使用した電子マネーの利用者における利便性の向上を図ることができる電子マネーの自動充填方法を提供する。
【課題を解決するための手段】
【０００７】
本発明の電子マネーの自動充填方法は、ＩＣカードと、ＩＣカードリーダライタを備えたパソコンと、前記パソコンと通信回線を介して接続された電子マネー管理サーバとにより、前記ＩＣカードに記憶されている電子マネーの残高額が、予め定めた基準値を下回った場合に、自動的に残高額の増額を行なうための電子マネーの自動充填方法であって、  前記ＩＣカードリーダライタで、前記ＩＣカードに記憶されている残高額情報を読み取るステップと、前記ＩＣカードリーダライタで読み取ったＩＣカードの残高額情報を前記パソコンに送信して、前記パソコンに予め登録されている残高額最低基準値と比較するステップと、前記比較の結果、前記残高額が前記残高額最低基準値よりも下回っていると判定された場合に、前記パソコンから前記電子マネー管理サーバに対して、前記ＩＣカードの残高額の増額処理を要求する増額要求信号を送信するステップと、前記電子マネー管理サーバは、前記パソコンから増額要求信号を受信した場合に、前記パソコンに対して、ＩＣカードに充填するための電子マネー情報を送信するステップと、前記パソコンは、前記電子マネー管理サーバから前記電子マネー情報を受信した際に、前記ＩＣカードリーダライタにより受信した電子マネー情報に基づいて、前記ＩＣカードに記憶されている電子マネーの残高額の増額処理を行なうステップと、を有することを特徴とする。
【０００８】
また、本発明の電子マネーの自動充填方法は、ＩＣカードと、ＩＣカードリーダライタを備えたパソコンと、前記パソコンと通信回線を介して接続された電子マネー管理サーバとにより、前記ＩＣカードに記憶されている電子マネーの残高額が、予め定めた基準値を下回った場合に、自動的に残高額の増額を行なうための電子マネーの自動充填方法であって、前記ＩＣカードリーダライタで、前記ＩＣカードに記憶されている残高額情報を読み取るステップと、前記ＩＣカードリーダライタで読み取ったＩＣカードの残高額情報を、前記パソコンから前記電子マネー管理サーバに送信するステップと、前記電子マネー管理サーバにおいて、予め登録されている残高額最低基準値と、前記パソコンから受信したＩＣカードの残高額情報とを比較するステップと、前記比較の結果、前記残高額が前記残高額最低基準値よりも下回っていると判定された場合に、前記電子マネー管理サーバから前記パソコンに対して、ＩＣカードに充填するための電子マネー情報を送信するステップと、前記パソコンは、前記電子マネー管理サーバから前記電子マネー情報を受信した際に、前記ＩＣカードリーダライタにより受信した電子マネー情報に基づいて、前記ＩＣカードに記憶されている電子マネーの残高額の増額処理を行なうステップと、を有することを特徴とする。
【０００９】
更に、本発明の電子マネーの自動充填方法は、前記ＩＣカードリーダライタで、前記ＩＣカードに記憶されている残高額情報を読み取る処理を行う際には、前記パソコンでのＩＣカードによる個人認証処理が行なわれることを必要としていることを特徴とする。
【００１０】
また、本発明の電子マネーの自動充填方法は、電子マネーの残高額の増額処理が、増額処理される場所、パソコン、時刻のいずれかに限定され、その限定情報が前記ＩＣカード又は前記電子マネー管理サーバに記憶されていることを特徴とする。
【００１１】
更に、本発明の電子マネーの自動充填方法は、前記パソコン及び前記ＩＣカードリーダライタが、駅に備え付けられている充填機に備えられていることを特徴とする。
【００１２】
また、本発明の電子マネーの自動充填方法は、前記ＩＣカードに記憶されている電子マネーの残高額の増額処理を行なう頻度に応じて、電子マネーの充填額を自動的に増額することを特徴とする。
【発明の効果】
【００１３】
本発明の電子マネーの自動充填方法は、ＩＣカードに記憶されている電子マネーの残高額が、予め定めた残高額基準値を下回った場合でも、自動的にＩＣカードの残高額の増額処理を行なえるので、電子マネーの利用者における残高額の確認や、電子マネーの充填処理に伴う煩わしさを減少させることができ、ＩＣカードを使用した電子マネーの利用者における利便性の向上を図ることができるという効果がある。
【発明を実施するための最良の形態】
【００１４】
以下、本発明の実施形態に係る電子マネーの自動充填方法について、図面に基づいて詳細に説明する。
図１は、本発明の第１実施形態に係る電子マネーの自動充填方法を適応するシステムの構成概要を示す図、図２は、本発明の第１実施形態に係る電子マネーの自動充填方法を適応するシステムのシステムブロック図、図３は、本発明の第１実施形態に係る電子マネーの自動充填方法の処理手順を説明するフローチャート、図４は、本発明の第２実施形態に係る電子マネーの自動充填方法を適応するシステムのシステムブロック図、図５は、本発明の第２実施形態に係る電子マネーの自動充填方法の処理手順を説明するフローチャートである。
【００１５】
本発明の第１実施形態に係る電子マネーの自動充填方法を適応するシステムは、図１に示すように、ＩＣカード利用者側１に設けられたＩＣカードリーダライタ２を備えたパソコン３と、利用者用のＩＣカード４と、前記パソコン３と通信回線５を介して通信可能に接続されている電子マネー管理センター６に備えられている電子マネー管理サーバ７とから構成されている。
【００１６】
図２に示すように、ＩＣカードリーダライタ２には、ＩＣカード４から情報の読み取りを行なう読取手段８ａ、ＩＣカード４に情報の書き込みを行なう書込手段８ｂ、制御手段９、インターフェース１０などが備えられている。
また、パソコン３には、インターフェース１１、表示手段１２、スクリーンロック手段１３、ＩＣカード電子マネー残高額情報読取手段１４、電子マネー残高比較手段１５、充填要求手段１６、電子マネー充填手段１７、記憶手段１８、通信手段１９、入力手段２０、制御手段２１、などが備えられている。
【００１７】
ＩＣカードリーダライタ２のインターフェース１０と、パソコン３のインターフェース１１とにより接続され、パソコン３からの指示信号によりＩＣカード４からの情報の読み取り及びＩＣカード４への情報の書き込みが行なわれる。
ＩＣカード４は、個人認証処理機能を有しており、個人認証処理による認証を受けることができた場合にパソコン３での処理を実行することができるようにしてある。
スクリーンロック手段１３は、ＩＣカードリーダライタ２にセットされているＩＣカード４を利用者が抜くことでディスプレイからなる表示手段１２の画像の動作を停止させてロック状態とする機能を有する。
これにより、利用者が、一時的にパソコン３から所用で離れた際でも第三者が不正にパソコンを操作できないようにセキュリティの保護を図っている。
【００１８】
記憶手段１８には、ＩＣカード４の記憶手段に記憶されている電子マネーが使用されて減少した際に、電子マネーの残高額がどの程度の額となった場合に、電子マネーの残高額を増額するために充填するのかについて、その充填の基準となる電子マネーの残高額最低基準値が登録されている。
この電子マネーの残高額最低基準値は、ＩＣカード４の記憶手段に記憶されている電子マネーの残高額が全て無くなる前の段階で、電子マネーの充填を行なえるように、ＩＣカード４の記憶手段に充填可能な全体の電子マネーの利用限度額に対して、約２０〜８０％程度が残っている段階で電子マネーの充填を行なえるような額を電子マネーの残高額最低基準値として設定しておくことが好ましい。
あるいは、１００％に設定することにより、設定した電子マネーがいつでも充填されるようにしてもよい。
また、記憶手段１８には、制御用プログラムが登録され、この制御用プログラムに基づいて一連の処理が行なわれる。
【００１９】
ＩＣカード電子マネー残高額情報読取手段１４は、ＩＣカードリーダライタ２にＩＣカード４がセットされた際に、まずＩＣカード４の記憶手段に記憶されている電子マネーの残高額情報の読み取りを行なう機能を有している。
また、電子マネー残高比較手段１５は、ＩＣカードリーダライタ２によりＩＣカード４から読み取った電子マネーの残高額情報と、パソコン３の記憶手段１８に登録されている電子マネーの残高額最低基準値とを比較する機能を有している。
充填要求手段１６は、ＩＣカードリーダライタ２によりＩＣカード４から読み取った電子マネーの残高額情報が、電子マネーの残高額最低基準値よりも少ない場合に、パソコン３から電子マネー管理サーバ７に対して、ＩＣカード４に電子マネーを充填するのに必要な処理を行うことを要求する信号を送信する機能を有している。
【００２０】
そして、電子マネー充填手段１７は、電子マネー管理サーバ７からＩＣカード４に電子マネーを充填するのに必要な情報を受信した際に、ＩＣカードリーダライタ２を介してＩＣカード４に電子マネーの充填を行なって電子マネーの残高額の増額を図る機能を有している。
【００２１】
次に、電子マネー管理サーバ７は、通信手段２２、電子マネー情報処理手段２３、電子マネー情報データベース２４、制御手段２５、などが備えられている。
電子マネー情報データベース２４には、発行されたＩＣカード１に関して、ＩＣカード管理ＩＤ、その利用者の個人情報、ＩＣカード１に充填された電子マネーの充填履歴情報、などが登録されている。
電子マネー情報処理手段２３は、電子マネー管理サーバ７がパソコン３からＩＣカード４に電子マネーを充填するのに必要な処理を行うことを要求する信号を受信した際に、電子マネー情報データベース２４に登録された情報から審査を行い、充填処理を行なうための情報をパソコン３に送信すると共に、これらの充填情報を電子マネー情報データベース２４に登録する機能を有する。
【００２２】
次に、本発明の第１実施形態に係る電子マネーの自動充填方法を、これに適応するシステムの処理手順に基づいて説明する。
まず、利用者がＩＣカードリーダライタ２にＩＣカード１をセットする。（ステップＳ１）
次に、ＩＣカード１での個人認証処理が実行される。（ステップＳ２）
この個人認証処理での結果におおいて認証を受けることができた場合に、ＩＣカードリーダライタ２は、ＩＣカード１の記憶手段に記憶されている電子マネーの残高額情報の読み取りを行ない、パソコン３にその残高額情報を送る。（ステップＳ３）
また、ＩＣカード１での個人認証処理で認証が受けられなかった場合には、処理を終了する。
【００２３】
パソコン３は、ＩＣカードリーダライタ２から電子マネーの残高額情報を受信すると、パソコン３の記憶手段１８に登録されている電子マネーの残高額最低基準値との比較処理を行う。（ステップＳ３）
この比較処理の結果において、ＩＣカード１の記憶手段に記憶されている電子マネーの残高が、パソコン３の記憶手段１８に登録されている電子マネーの残高額最低基準値よりも少ないと判定された場合には、パソコン３は、電子マネー管理サーバ６に対して、ＩＣカード１の電子マネーの残高額を増額するための充填処理を行うことを指示する充填要求指示信号を送信する。（ステップＳ４）
尚、この比較処理の結果において、ＩＣカード１の記憶手段に記憶されている電子マネーの残高額が、パソコン３の記憶手段１８に登録されている電子マネーの残高額最低基準値よりも多いと判定された場合には、そのまま処理を終了する。
【００２４】
パソコン３から充填要求指示信号を受信した電子マネー管理サーバ６においては、電子マネー情報データベース２４に登録されている情報に基づいて、電子マネーの充填を行なってもよいのかに関する判定を行う。（ステップＳ５）
そして、電子マネーの充填を行なってもよい利用者である場合には、充填要求のあった電子マネー分の送信をパソコン３に対して行なう。（ステップＳ６）
また、電子マネーの充填を受けられない利用者であると判定された場合には、処理を終了する。
【００２５】
そして、パソコン３が、電子マネー管理サーバ６から電子マネーの充填用情報を受信すると、ＩＣカードリーダライタ２によりＩＣカードに対して電子マネーの充填処理を行う。（ステップＳ７）
以上の処理により、ＩＣカード１の記憶手段に記憶されている電子マネーの残高額が予め定めた額よりも減少した際に、自動的に電子マネーの充填が行なわれる。
【００２６】
次に、本発明の第２実施形態に係る電子マネーの自動充填方法を適応するシステムを、図４及び図５に基づいて説明する。
図４に示すように、ＩＣカードリーダライタ２には、ＩＣカード４から情報の読み取りを行なう読取手段８ａ、ＩＣカード４に情報の書き込みを行なう書込手段８ｂ、制御手段９、インターフェース１０などが備えられている。
パソコン３には、インターフェース１１、表示手段１２、スクリーンロック手段１３、ＩＣカード電子マネー残高額情報読取手段１４、電子マネー充填手段１７、記憶手段１８、通信手段１９、入力手段２０、制御手段２１、などが備えられている。
【００２７】
ＩＣカードリーダライタ２のインターフェース１０と、パソコン３のインターフェース１１とにより接続され、パソコン３からの指示信号によりＩＣカード４からの情報の読み取り及びＩＣカード４への情報の書き込みが行なわれる。
ＩＣカード４には、個人認証処理機能を有しており、個人認証処理による認証を受けることができた場合にパソコン３での処理を実行することができるようにしてある。
スクリーンロック手段１３は、ＩＣカードリーダライタ２にセットされているＩＣカード４を利用者が抜くことでディスプレイからなる表示手段１２の画像の動作を停止させてロック状態とする機能を有する。
これにより、利用者が、一時的にパソコン３から所用で離れた際でも第三者が不正にパソコンを操作できないようにセキュリティの保護を図っている。
また、記憶手段１８には、制御用プログラムが登録され、この制御用プログラムに基づいて一連の処理が行なわれる。
【００２８】
電子マネー充填手段１７は、電子マネー管理サーバ７からＩＣカード４に電子マネーを充填するのに必要な情報を受信した際に、ＩＣカードリーダライタ２を介してＩＣカード４に電子マネーの充填を行なって電子マネーの残高額の増額を図る機能を有している。
【００２９】
次に、電子マネー管理サーバ７は、通信手段２２、電子マネー情報処理手段２３、電子マネー情報データベース２４、制御手段２５、電子マネー残高比較手段２６、記憶手段２７などが備えられている。
電子マネー情報データベース２４には、発行されたＩＣカード１に関して、ＩＣカード管理ＩＤ、その利用者の個人情報、ＩＣカード１に充填された電子マネーの充填履歴情報、などが登録されている。
電子マネー情報処理手段２３は、ＩＣカード４に電子マネーを充填する際に、電子マネー情報データベース２４に登録された情報から審査を行い、充填処理を行なうための情報をパソコン３に送信すると共に、これらの充填情報を電子マネー情報データベース２４に登録する機能を有する。
【００３０】
記憶手段２７には、ＩＣカード４の記憶手段に記憶されている電子マネーが使用されて減少した際に、電子マネーの残高額がどの程度の額となった場合に、電子マネーの残高額を増額するために充填するのかについて、その充填の基準となる電子マネーの残高額最低基準値が登録されている。
この電子マネーの残高額最低基準値は、ＩＣカード４の記憶手段に記憶されている電子マネーの残高額が全て無くなる前の段階で、電子マネーの充填を行なえるように、ＩＣカード４の記憶手段に充填可能な全体の電子マネーの利用限度額に対して、約２０〜８０％程度が残っている段階で電子マネーの充填を行なえるような額を電子マネーの残高額最低基準値として設定しておくことが好ましい。
あるいは、１００％に設定することにより、設定した電子マネーがいつでも充填されるようにしてもよい。
【００３１】
また、電子マネー残高比較手段２６は、ＩＣカードリーダライタ２によりＩＣカード４から読み取り、パソコン３から電子マネー管理サーバ７に送信された電子マネーの残高額情報と、電子マネー管理サーバ７の記憶手段２７に登録されている電子マネーの残高額最低基準値とを比較する機能を有している。
【００３２】
次に、本発明の第２実施形態に係る電子マネーの自動充填方法を、これに適応するシステムの処理手順に基づいて説明する。
まず、利用者がＩＣカードリーダライタ２にＩＣカード１をセットする。（ステップＳ９）
次に、ＩＣカード１での個人認証処理が実行される。（ステップＳ１０）
この個人認証処理での結果において認証を受けることができた場合に、ＩＣカードリーダライタ２は、ＩＣカード１の記憶手段に記憶されている電子マネーの残高額情報の読み取りを行ない、読み取られた残高額情報をパソコン３から電子マネー管理サーバ６に送信する。（ステップＳ１１）
また、ＩＣカード１での個人認証処理で認証が受けられなかった場合には、処理を終了する。
【００３３】
電子マネー管理サーバ６において、受信した電子マネーの残高額情報と、記憶手段２７に登録されている電子マネーの残高額最低基準値との比較処理を行う。（ステップＳ１２）
この比較処理の結果において、ＩＣカード１の記憶手段に記憶されている電子マネーの残高が、電子マネーの残高額最低基準値よりも少ないと判定された場合には、電子マネー情報データベース２４に登録されている情報に基づいて、電子マネーの充填を行なってもよいのかに関する判定を行う。（ステップＳ１３）
尚、この比較処理の結果において、ＩＣカード１の記憶手段に記憶されている電子マネーの残高額が、電子マネーの残高額最低基準値よりも多いと判定された場合には、そのまま処理を終了する。
【００３４】
そして、電子マネーの充填を行なってもよい利用者である場合には、電子マネー管理サーバ６からパソコン３に対して充填用の電子マネーの送信を行なう。（ステップＳ１４）
また、電子マネーの充填を受けられない利用者であると判定された場合には、処理を終了する。
【００３５】
そして、パソコン３が、電子マネー管理サーバ６から電子マネーの充填用情報を受信すると、ＩＣカードリーダライタ２によりＩＣカードに対して電子マネーの充填処理を行う。（ステップＳ１５）
以上の処理により、ＩＣカード１の記憶手段に記憶されている電子マネーの残高額が予め定めた額よりも減少した際に、自動的に電子マネーの充填が行なわれる。
【００３６】
上記の実施形態の他に、電子マネーの残高額の増額処理を、増額処理される場所、パソコン、時刻のいずれかによって限定できるように、その限定情報をＩＣカード又は電子マネー管理サーバに記憶しておき、増額処理の制限を行なうようにすることもできる。
【００３７】
更に、パソコン及びＩＣカードリーダライタを、駅に備え付けられている充填機に備えるようにすることもできる。
【００３８】
また、ＩＣカードに記憶されている電子マネーの残高額の増額処理を行なう頻度に応じて、電子マネーの充填額を自動的に増額できるようにすることもできる。
この場合には、パソコン３側に自動充填増額手段を設けて、予め設定した増額回数よりも多く頻繁に増額するようなＩＣカード利用者に対しては、１回の充填の際における充填額を自動的に増やすようにする。
これにより、電子マネーを頻繁に利用する者の充填回数が多くなり処理負担が過剰になることを防止することができる。
【図面の簡単な説明】
【００３９】
【図１】本発明の第１実施形態に係る電子マネーの自動充填方法を適応するシステムの構成を示す図である。
【図２】本発明の第１実施形態に係る電子マネーの自動充填方法を適応するシステムのシステムブロック図である。
【図３】本発明の第１実施形態に係る電子マネーの自動充填方法の処理手順を説明するフローチャートである。
【図４】本発明の第２実施形態に係る電子マネーの自動充填方法を適応するシステムのシステムブロック図である。
【図５】本発明の第２実施形態に係る電子マネーの自動充填方法の処理手順を説明するフローチャートである。
【符号の説明】
【００４０】
１  ＩＣカード利用者側
２  ＩＣカードリーダライタ
３  パソコン
４  利用者用のＩＣカード
５  通信回線
６  電子マネー管理センター
７  電子マネー管理サーバ
８ａ  読取手段
８ｂ  書込手段
９，２１，２５  制御手段
１０，１１  インターフェース
１２  表示手段
１３  スクリーンロック手段
１４  ＩＣカード電子マネー残高額情報読取手段
１５，２６  電子マネー残高比較手段
１６  充填要求手段
１７  電子マネー充填手段
１８，２７  記憶手段
１９，２２  通信手段
２０  入力手段
２３  電子マネー情報処理手段
２４  電子マネー情報データベース
【図１】
2006134195.tif 000003
【図２】
2006134195.tif 000004
【図３】
2006134195.tif 000005
【図４】
2006134195.tif 000006
【図５】
2006134195.tif 000007